(57)【要約】【課題】  電池セルなどの被収納物をケース内に両面テープを用いて収納固定する際に、ケース内における空気の溜りの原因となる閉空間をなくして、ケースの膨らみが生じないようにする。【解決手段】  両面テープ３として、一部が切欠かれた（３１）リング状のものを用いることにより、電池セル２の下面と、ケース本体７の内側底面と、両面テープ３との３者による閉空間が生じないようにする。すなわち、両面テープ３の切欠き部３１によって、空気の逃げ道が確保されることになり、ケース７にカバー１を取付けるための超音波溶着時に発生するケースの膨らみが防止される。【選択図】      図１                                                  
2005327477.tif 000002
【特許請求の範囲】
【請求項１】
被収納物を両面接着テープを用いてケースに固定するに際して、前記被収納物の所定面と前記ケースの所定面とを前記両面接着テープで接着するようにした収納構造であって、前記被収納物の所定面、前記両面接着テープ、前記ケースの所定面の三者による閉空間が生じない形状の両面接着テープを用いたことを特徴とする収納構造。
【請求項２】
前記両面接着テープは、リング状の一部が切り欠かれた形状であることを特徴とする請求項１記載の収納構造。
【請求項３】
前記両面接着テープは、「エ」文字の形状であることを特徴とする請求項１記載の収納構造。
【請求項４】
前記両面接着テープは、「＋」記号の形状であることを特徴とする請求項１記載の収納構造。
【請求項５】
前記被収納物は電池セルであり、電池パックとして使用されることを特徴とする請求項１〜５いずれか記載の収納構造。
【請求項６】
請求項５記載の収納構造を用いたことを特徴とする携帯通信端末。
【発明の詳細な説明】
【技術分野】
【０００１】
本発明は収納構造及びそれを用いた携帯通信端末に関し、特に携帯型の電子機器における充電式の電池セルを、両面接着テープを用いてケースに固定して電池パックとする場合の固定構造の改良に関するものである。
【背景技術】
【０００２】
携帯電話機などの携帯型電子機器においては、充電式の電池パックが広く用いられている。この電池パックは、電池セルをケースへ収納して固定するために、両面接着テープ（以下、単に両面テープと称す）が用いられており、特許文献１、２、３などに多く開示されている。この場合、電池セルの一面とケース内面とを、両面テープにて接着して固定するのであるが、両面テープを用いる利点としては、固定するための作業が容易であることの他に、落下衝撃など外力による電池パック内の電池セルの動きを抑止することができることである。
【０００３】
図７は電池パックの分解斜視であり、電池上ケースであるカバー１と、電池セル２と、両面テープ３と、引回し電極６と、電池下ケースであるケース本体７とからなっている。電池セル２の下面とケース本体７の内側底面との間に、両面テープ３を設けて、これら両面で接着を行うようになっている。
【０００４】
両面テープ３には耳部５が設けられており、この耳部５は電池セル２の側面へ向けて折り曲げられて電池セル２と引回し電極（板金）６とが貼り付けられるようになっている。この引回し電極６は、電池セル２の一方の電極と接続されて、ケース本体７の一つの側面に設けられている接続端子孔９へ電気的接続をなすものである。なお、１０は電力供給試験用孔であり、ケース本体７の上記側面に設けられている。
【０００５】
この電池パックの作製手順について説明する。両面テープ３の耳部５を用いて電池セル２と引回し電極６とを貼り付ける。その後、ケース本体７に組み込んで、カバー１をケース本体７に重ね合わせる。このとき、カバー１の周囲に設けられている複数のリブ１１を、ケース本体７の溝７１へ嵌め込んで、超音波溶着による接合方法により、リブ１１を超音波振動させて溶着する。これにより、電池パックが完成することになる。
【０００６】
なお、両面テープ３をリング状として、中央部を中抜きした形とするのは、電池セル２とケース本体７との間に、隙間を設けることにより、電池セル２自体の膨れを許容するためである。この電池セル自体の膨れとは、電池セルが満充電時や５００サイクル程度の充電行為を繰返すことによって、セル中央部分が膨れる特性のことである。
【０００７】
【特許文献１】特開２００２−３４３３１７号公報
【特許文献２】特開２００１−２６６８１９号公報
【特許文献３】特開２００１−３２５９２８号公報
【発明の開示】
【発明が解決しようとする課題】
【０００８】
上述した如く、カバー１をケース本体７へ取付ける際には、リブ１１を溝７１へ嵌合して超音波溶着により接合するのであるが、このとき、両面テープ３の中央部の中抜き部分が、電池セル２とケース本体７との間の隙間（閉空間）を形成する。その様子を、図８の斜線部分８で示している。なお、図８（Ａ）は電池パックの正面図、（Ｂ）はそのＡ−Ａ線に沿う断面図である。この隙間には空気が溜り、溶着時の熱により膨張するが、この隙間は閉空間であるために空気８の逃げ道が確保されていないので、電池パックが膨らむという不具合が発生する。
【０００９】
本発明の目的は、電池セルなどの被収納物をケース内に両面テープを用いて収納固定する際に、ケース内における空気の溜りの原因となる閉空間をなくして、ケースの膨らみが生じないようにした収納構造を提供することである。
【課題を解決するための手段】
【００１０】
本発明による収納構造は、被収納物を両面接着テープを用いてケースに固定するに際して、前記被収納物の所定面と前記ケースの所定面とを前記両面接着テープで接着するようにした収納構造であって、前記被収納物の所定面、前記両面接着テープ、前記ケースの所定面の三者による閉空間が生じない形状の両面接着テープを用いたことを特徴とする。
【００１１】
そして、前記両面接着テープは、リング状の一部が切り欠かれた形状であることを特徴とし、前記両面接着テープは、「エ」文字の形状、「＋」や「×」の記号の形状であることを特徴とする。また、前記被収納物は電池セルであり、電池パックとして使用されることを特徴とする。
【００１２】
本発明の作用を述べる。電池セルなどの被収納物の一つの面と、ケース内面とを両面テープで接着する場合に、被収納物の面、ケース内面、両面テープとの３者による閉空間が生じないような形状の両面テープを用いて、被収納物とケースとの接着を行うようにする。例えば、両面テープとして、一部が切欠かれたリング状のものを用いることにより、この切欠き部により、空気の逃げ道が確保される。よって、例えば、ケースにカバーを取付けるための超音波溶着時に発生するケースの膨らみを解消できることになる。
【発明の効果】
【００１３】
本発明によれば、被収納物とケースとを接着するための両面テープの形状を、空気溜りが生じない、すなわち閉空間が生じない様な形状としたので、空気の逃げ道が確保されて、ケースの膨らみが防止できるという効果がある。
【発明を実施するための最良の形態】
【００１４】
以下に、図面を用いて本発明の一実施の形態について説明する。図１は本発明の一実施の形態を示す分解斜視図であり、図７と同等部分には、同一符号を付して示している。図１を参照すると、本実施の形態は、携帯電話機などの携帯型電子機器に用いられる充電式電池パックの例であり、電池上ケースであるカバー１と、電池セル２と、両面テープ３と、引回し電極６と、電池下ケースであるケース本体７とからなる。
【００１５】
電池セル２の下面とケース本体７の内側底面との間に、両面テープ３を設けて、この両面テープ３を用いて電池セル２をケース本体７の内側底面に固定するようになっている。この両面テープ３の形状が、図７に示した従来例とは相違しており、他の構成は図７の例と同一である。すなわち、両面テープ３は、その一部が切欠かれた切欠き部３１を有するリング状となっている点が、本実施の形態の特徴である。
【００１６】
図２（Ａ）は図１の電池パックの側面図、（Ｂ）は正面図、（Ｃ）は（Ｂ）のＢ−Ｂ線に沿う断面図であり、図１と同等部分には、同一符号を付して示している。図１に示した如く、両面テープ３の一部に切欠き部３１を設けているために、電池セル２の下面と、ケース本体７の内部底面と、更には、両面テープ３とが作る空間は、閉空間にはならず、この部分の空気は、この切欠き部３１が逃げ道となってケース本体７の側面に設けられている接続端子孔９や電力供給試験用孔１０を介して、ケース外部へ逃げることが可能になる。
【００１７】
従って、カバー１とケース本体７とを超音波溶着による接合時に、電池セルとケース底面との間の膨張した空気は溜ることがなく、外部へ逃げるために、ケースの膨らみが防止されるのである。
【００１８】
なお、両面テープ３の切欠き部３１の位置や大きさは、特に限定されるものではなく、また両面テープ３の形状についても、例えば、図３に示す如く、円形リングの一部を切欠いたものでも良く、また、リング状に限らず、図４に示す如く、カタカナの“エ”の文字形状や、図５、６に示す如く、「＋」や「×」印の形状（「×」は「＋」を４５度回転したものであり、「＋」と等価である）など、種々の形状が考えられる。
【００１９】
要は、両面テープ３の形状として、テープ自身で閉空間を有するようなものでなければ、本発明の目的及び効果は達成できることになる。
【００２０】
上記の実施の形態においては、携帯電話機の充電式電池パックの収納構造について示しているが、携帯型の電子機器の充電式電池パックにも適用できる。更には、電池パックに限らず、被収納物を両面テープを用いてケース内に固定して収納する収納構造に広く適用できることは勿論である。
【図面の簡単な説明】
【００２１】
【図１】本発明の一実施の形態を示す分解斜視図である。
【図２】（Ａ）は本発明の実施の形態の側面図、（Ｂ）はその正面図、（Ｃ）は（Ｂ）のＢ−Ｂ線に沿う断面図である。
【図３】本発明の他の実施の形態を示す正面図である。
【図４】本発明の更に他の実施の形態を示す正面図である。
【図５】本発明の別の実施の形態を示す正面図である。
【図６】本発明の他の実施の形態を示す正面図である。
【図７】従来例を示す分解斜視図である。
【図８】（Ａ）は図７の正面図、（Ｂ）は（Ａ）のＡ−Ａ線に沿う断面図である。
【符号の説明】
【００２２】
１  カバー
２  電池セル
３  両面接着テープ
７  ケース本体
９  接続端子孔
１０  電力供給試験用孔
３１  切欠き部
【図１】
2005327477.tif 000003
【図２】
2005327477.tif 000004
【図３】
2005327477.tif 000005
【図４】
2005327477.tif 000006
【図５】
2005327477.tif 000007
【図６】
2005327477.tif 000008
【図７】
2005327477.tif 000009
【図８】
2005327477.tif 000010